(57)【特許請求の範囲】
【請求項１】
コンクリートから露出され雄ネジ部が形成された金属製スタッド部分及び当該部分に螺締された金属製のナットを防食するための防食用キャップであって、
前記金属製スタッド部分及び前記ナットを覆うように亜鉛で一体形成され、
前記ナットを覆う部分と、
前記ナットから突出する前記金属製スタッド部分に嵌合する雌ネジが内周面に刻設され、前記金属製スタッド部分に当該防食用キャップを螺着する際に操作される六角部分と、
前記金属製スタッド部分の頭部を覆う部分と、を備え、
当該防食用キャップの内面が前記金属製スタッド部分及び前記ナットに電気的に導通して当接するように構成されたことを特徴とする防食用キャップ。
【請求項２】
前記金属製スタッド部分に所定の金具の貫通孔が装着された状態で、前記所定の金具との間で前記金属製スタッド部分の頭部の全体を覆い、且つ前記所定の金具に当接するように形成されている請求項１に記載の防食用キャップ。
【請求項３】
前記ナットが座金を有するものであり、前記金属製スタッド部分に前記所定の金具の貫通孔が装着された後に前記ナットが前記金属製スタッド部分に螺締された状態で、前記所定の金具との間で前記金属製スタッド部分の頭部の全体を覆うとともに前記ナット及び前記座金を覆い、且つ前記所定の金具に当接するように形成されている請求項２に記載の防食用キャップ。
【請求項４】
前記金属製スタッド部分が、その露出する部分に雄ネジ部分を有するアンカーであって、前記六角部分は前記アンカーの雄ネジ部分に嵌合する前記雌ネジが内周面に刻設されていることを特徴とする請求項１から３のいずれかに記載の防食用キャップ。
【発明の詳細な説明】
【技術分野】
【０００１】
本発明は、アンカーや種々の部材を締結する締結部材及び該締結部材等を防食する防食用キャップに関するものである。
【背景技術】
【０００２】
例えば、コンクリート製の壁面に鉄製のアンカーを、壁面からネジ部分が表面に露出する状態に固定し、この露出する部分に吊持用の金具等を固定して使用しており、表面から露出する部分は腐食しやすい状態になっている。
【０００３】
一般に金属腐食は電気腐食とよばれるもので、周囲の湿度（水分）を通じて金属材料中の原子が電解質主要液（水分）中に陽イオンとして溶け出すアノード反応（酸化反応）と、酸化剤が電子を受け取るカソード反応（還元反応）とが対を成して同時に起こる局部的な電池反応であることから、こうした電池反応を防止するために陽イオンを発生する亜鉛を防食素材若しくは犠牲素材として使用することが先に提案されている（特許文献１参照）。
【０００４】
この先の提案にかかるものは、亜鉛棒の周囲を絶縁材料で囲って形成したキャップを、その亜鉛棒の一端部分をボルトの頭部に対して、導通接触させるようにしたものである。
【０００５】
ところが、こうした先の提案に係るものでは、ボルトの表面に発生する電位差を解消するためには、亜鉛棒から供給される電子が、亜鉛棒に回帰（防食電流が亜鉛棒からボルト側に流れる）しなくてはならず、したがって、亜鉛棒が当接していないボルトの表面には多数ある原子配列の乱れた部分がアノードに、その周囲に電位の高いカソードを形成して局部電池が形成されるために防食効果が得られないという問題があるだけでなく、亜鉛棒の周囲を絶縁材料で囲う等、構造が複雑で製造コストの高くついてしまうという問題があった。
【発明の概要】
【発明が解決しようとする課題】
【０００６】
本発明は上記問題点に鑑み提案されたもので、簡単な構造で防食効果の高い防食用キャップを提供できるようにすることを目的とするものである。
【課題を解決するための手段】
【０００７】
上記目的を達成するために、本発明にかかる防食用キャップは、コンクリートから露出され雄ネジ部が形成された金属製スタッド部分及び当該部分に螺締された金属製のナットを防食するための防食用キャップであって、前記金属製スタッド部分及び前記ナットを覆うように亜鉛で一体形成され、前記ナットを覆う部分と、前記ナットから突出する前記金属製スタッド部分に嵌合する雌ネジが内周面に刻設され、前記金属製スタッド部分に当該防食用キャップを螺着する際に操作される六角部分と、前記金属製スタッド部分の頭部を覆う部分と、を備え、当該防食用キャップの内面が前記金属製スタッド部分及び前記ナットに電気的に導通して当接するように構成されたことを特徴とするものである。
【０００８】
また、本発明にかかる防食用キャップは、前記金属製スタッド部分に所定の金具の貫通孔が装着された状態で、前記所定の金具との間で前記金属製スタッド部分の頭部の全体を覆い、且つ前記所定の金具に当接するように形成されている。
また、本発明の防食用キャップは、前記ナットが座金を有するものであり、前記金属製スタッド部分に前記所定の金具の貫通孔が装着された後に前記ナットが前記金属製スタッド部分に螺締された状態で、前記所定の金具との間で前記金属製スタッド部分の頭部の全体を覆うとともに前記ナット及び前記座金を覆い、且つ前記所定の金具に当接するように形成されている。
【０００９】
本発明にかかる防食用キャップは、前記金属製スタッド部分が、その露出する部分に雄ネジ部分を有するアンカーであって、前記六角部分は前記アンカーの雄ネジ部分に嵌合する前記雌ネジが内周面に刻設されていること、金属製スタッドの露出する部分が６角のボルト頭若しくは６角孔付ボルト頭であって、当該頭部分に導電性を有する固定手段を介して取り付けられること、及びその固定手段が磁石若しくは導電性接着剤で構成されていることも特徴とするものである。
【発明の効果】
【００１０】
本発明にかかる防食用キャップは、コンクリートから露出され雄ネジ部が形成された金属製スタッド部分及び当該部分に螺締された金属製のナットを覆うように亜鉛で一体に形成された防食用キャップを、その内面が前記金属製スタッド部分及び前記ナットに電気的に導通して当接するようにしてあるので、先の提案にかかる防食用キャップのように、防食用亜鉛の周囲を絶縁材料で囲う等の構造が不要になりその構造が簡単で安価に実施することができる利点がある。
【００１１】
また、亜鉛で防食用キャップを形成するようにしてあるので、広い面積で金属部品に当接することから、先の提案にかかる防食用キャップに比べてその防食効果を大幅に向上させることができる利点もある。
また、防食用キャップは、吊持用の金具等の所定の金具が前記金属製スタッド部分に取り付けられた状態で、前記金属製スタッド部分の頭部を覆い、且つ前記所定の金具に当接するように形成されているので、前記金属製スタッド部分だけでなく、当接している所定の金具の電気腐食も防止される。
また、防食用キャップは、前記金属製スタッド部分に座金を有するナットが取り付けられている場合に、前記金属製スタッド部分の頭部の全体を覆うとともに前記ナット及び前記座金を覆い、且つ前記所定の金具に当接するように形成されているので、更に前記座金も電気防食から防止される。
【００１２】
金属製スタッド部分の空中に露出する部分が雄ネジ部分を有するアンカーであって、この雄ネジ部分に嵌合する雌ネジが防食用キャップの前記六角部分の内周面に刻設されているものでは、この雌ネジ部分を雄ネジ部分に螺着すると、上記効果に加えてこの防食用キャップを緩み止めのロックナットにすることができる利点もある。
【００１３】
そして、防食用キャップをボルト等の頭部分に、導電性を有する導電性接着剤等の固定手段を介して取り付けるようにすると、雄ネジ部分を有するアンカーのみならず、既存の固定ボルトの防食用に簡単に使用することができ、幅広く使用することができる利点がある。
【００１４】
さらに、上記防食用キャップをボルト等の頭部分に取り付けるのにあたり、固定手段を磁石で構成すると、着磁性を有する材質で形成されているアンカーや固定ボルト等に磁石を吸着させるだけで簡単に取り付けられるとともに、交換も簡単に行える利点もある。
【図面の簡単な説明】
【００１５】
【図１】は本発明にかかる防食用キャップとこれを装着するアンカーを分解した状態の斜視図である。
【図２】は本発明にかかる防食用キャップをアンカーに装着した状態の縦断側面図である。
【図３】は本発明にかかる防食用キャップの別の実施形態を示す断面図である。
【図４】は本発明にかかる別の実施形態における防食用キャップの分解図である。
【図５】は本発明にかかる防食用キャップのさらに別の実施形態を示す断面図である。
【発明を実施するための形態】
【００１６】
以下、本発明の防食用キャップにかかる最も好ましい実施の形態を図面に基づいて説明ずる。
図１は、アンカー１とこれに装着する防食用キャップ２を分解した斜視図、図２はアンカーに防食用キャップを装着した状態の縦断側面図であって、アンカー１は、コンクリートが固結した後、所望する部分に吊持用の金具等を取り付けるために、コンクリートの表面から穿孔した部分に装着される、いわゆる後施工型アンカー１である。
【００１７】
この後施工型アンカー１は、鉄等の金属で形成された拡開スリーブ３と、この拡開スリーブ３の内方に打ち込まれる拡開用打ち込みピン４とからなり、拡開スリーブ３は、筒状部分の手前側部分に雄ネジ部（金属製スタッド部分）５が形成され、筒状部分の奥側部分には拡開用の４本のスリット６が形成されている。
【００１８】
このスリット６が形成された筒状部分の肉厚は図２に示すように端部側で厚肉となっており、図２に示すように、コンクリート７に穿設した装着孔８に雄ネジ部５が露出する状態で拡開スリーブ３を挿入し、拡開用打ち込みピン４を打ち込むと、拡開用の４本のスリット６部分の筒部分が外方に開いて固定される、一般的な後施工型アンカー（以後単にアンカーという）１になっている。
【００１９】
上記のようにして、コンクリート７に穿設された装着孔８に埋設され、コンクリート７の表面から突出する雄ネジ部５には、図１に示すようにフック状の吊持部材９の貫通孔１１を装着した後、アンカー１と同材質の鉄製のナット１０を螺締し、このナット１０から突出する雄ネジ部５に防食用キャップ２が嵌着される。
【００２０】
この防食用キャップ２は、電解法により得られる純度の高い純亜鉛（通称電気亜鉛・Zn ＡＤＣ２）で、前記ナット１０及びその座金部分１２を覆う部分と、この防食用キャップ２を操作する６角部分１３と、ナット１０から突出する雄ネジ部５の部分を覆う部分とを一体形成されている。
【００２１】
また、６角部分１３の内周面には雌ネジ部１４が形成されている。
ここで、防食用キャップ２を形成する電解法により得られる純度の高い純亜鉛（通称電気亜鉛）について説明すると、この電解法により得られる純亜鉛は一般に鉛より硬度が高く、最純亜鉛地金、特種亜鉛地金、普通亜鉛地金等、亜鉛の純度が重量比で９９．９７パーセント以上のものである。
【００２２】
尚、用途に応じて、防食用キャップ２に硬度をもたせる場合、上記純亜鉛にアルミニウムを混合すると硬度が上がるが、柔軟性が失われて脆くなる傾向にあることから、本発明の防食用キャップ２に用いられる亜鉛は、亜鉛合金ダイカスト２種（通称２種亜鉛）のようにアルミニウムの含有率が重量比４．３パーセント以下であることが望ましい。
【００２３】
上記のように形成された防食用キャップ２を、その６角部分１３を操作してナット１０から突出する雄ネジ５の部分に嵌合し、防食用キャップ２の雌ネジ部１４を螺着してアンカー１に装着すると、亜鉛の起電力により、防食用キャップ２から供給される電子が、ナット１０及びこれが螺合している雄ネジ部５から雌ネジ部１４を介して防食用キャップ２に回帰し、電流が防食用キャップ２から雄ネジ部５側のアンカー１に流れる。
その結果、防食用キャップ２で覆われ、当接しているアンカー１部分や吊持部材９の電気腐食が防止される。
【００２４】
因みに、本発明にかかる防食用キャップ２の吊持部材９をナット１０で固定したアンカー１に実施したところ、当該防食用キャップ２の周囲数ミリ部分の吊持部材９も局部電池の形成が防止でき、腐食が防止できる効果を確認することができた。
【００２５】
上記実施の形態では、空中に突出する雄ネジ部５に嵌着するために、防食用キャップ２の内周面に雌ネジ部１４を刻設するようにしてあるが、防食用キャップ２を図３に示すように円形のカップ状に形成し、内面に導電性接着剤１５を設け、これをボルト（金属製スタッド部分）１６の頭部１７に嵌合して接着することにより、既存のボルトの頭部の腐食防止用キャップ２にすることができる。
【００２６】
この導電性接着剤１５としては、導電フィラーとして金粉、銀粉、銅粉、ニッケル粉、アルミ粉、メッキ粉、カーボン粉、グラファイト粉などを、バインダーとしてのエポキシ樹脂に高濃度に混練したもので、導電フィラーの配合内容により硬化物の抵抗値は異なるが、一般的な体積抵抗率は１００〜１０−５乗Ω・ｃｍですあるが、本発明に接着剤と使用するには、１０の−３乗〜１０−５乗Ω・ｃｍレベルの低抵抗のものが望ましい。
【００２７】
また、図４に示すように、上記カップ状に形成された防食用キャップ２の内方に上記導電性接着剤１５で磁石１８を固定するようにしておくと、ボルト１６の規格に応じて予め製造しておくことができ、現場においては図５に示すように磁石１８をボルト１６の頭部１７に磁着させるだけの簡単な操作で使用することができる。
【００２８】
上述したように、本発明の防食用キャップ２を付すことにより耐食を図れるので、これを橋梁や高速道路の金属製スタッドの耐久性を大幅に向上させることができ、安全性に摸寄与できる。
【符号の説明】
【００２９】
１・・・アンカー
２・・・防食用キャップ
３・・・拡開スリーブ
４・・・拡開用打ち込みピン
５・・・雄ネジ部
６・・・スリット
７・・・コンクリート
８・・・装着孔
９・・・吊持部材
１０・・・ナット
１１・・・貫通孔
１２・・・座金部分
１３・・・６角部分
１４・・・雌ネジ部分
１５・・・導電性接着剤
１６・・・ボルト
１７・・・ボルトの頭部
１８・・・磁石
【図１】
0005481164.tif 000002
【図２】
0005481164.tif 000003
【図３】
0005481164.tif 000004
【図４】
0005481164.tif 000005
【図５】
0005481164.tif 000006